(57)【要約】【課題】撮影状況の理解を容易にするカメラ、カメラの記録制御プログラムおよび再生用プログラムを提供する。【解決手段】撮像時録画モードに設定されると、ＴＶ受信部４で受信した放送番組の内容が直近の一定時間分だけバッファリングする。レリーズボタンが全押し操作されると被写体像が撮像されて、撮像データとして記録媒体１１に記録される。また、バッファリングしているレリーズボタン全押し操作前の１分間のＭＰＥＧデータと、レリーズボタン全押し操作後１分間のＭＰＥＧデータとを１つの録画データのファイルとして、撮像データと同じファイル名を付すことで撮像データと関連づけて記録媒体１１に記録する。撮像データの再生時には、ファイル名を手がかりとして、関連づけられている録画データも同時に再生する。【選択図】図１
2008259023.tif 000002
【特許請求の範囲】
【請求項１】
受信した放送の内容を記録する放送内容記録手段と、
被写体像を撮像する撮像手段と、
前記撮像手段で撮像して得た被写体像の画像データを記録する画像データ記録手段と、
前記放送内容記録手段で記録する前記放送の内容と、前記画像データ記録手段で記録する前記画像データとを関連づけて記憶するように、前記放送内容記録手段および前記画像データ記録手段を制御する記録制御手段とを備えることを特徴とするカメラ。
【請求項２】
請求項１に記載のカメラにおいて、
関連づけられている、前記放送内容記録手段で記録される前記放送の内容と、前記画像データ記録手段で記憶される前記画像データとは、当該放送の内容に関する事象と、当該画像データの被写体像に関する事象とに関連性があることを特徴とするカメラ。
【請求項３】
請求項１または請求項２に記載のカメラにおいて、
前記放送内容記録手段で記録する前記放送の内容は、前記撮像手段で被写体像を撮像する前、および、後の少なくともいずれか一方であることを特徴とするカメラ。
【請求項４】
請求項１〜３のいずれか一項に記載のカメラにおいて、
前記記録制御手段は、前記放送内容記録手段で記録される前記放送の内容のファイル名と、前記画像データ記録手段で記憶される前記画像データのファイル名とを関連づけることにより、前記放送内容記録手段で記録する前記放送の内容と、前記画像データ記録手段で記録する前記画像データとを関連づけることを特徴とするカメラ。
【請求項５】
請求項１〜４のいずれか一項に記載のカメラにおいて、
前記記録制御手段は、前記放送内容記録手段で記録される前記放送の内容のファイルの規格であらかじめ定められた、メーカまたはユーザが任意に利用可能な領域と、前記画像データ記録手段で記憶される前記画像データのファイルの規格であらかじめ定められた、メーカまたはユーザが任意に利用可能な領域とに所定のデータを書き込むことにより、前記放送内容記録手段で記録する前記放送の内容と、前記画像データ記録手段で記録する前記画像データとを関連づけることを特徴とするカメラ。
【請求項６】
請求項１〜５のいずれか一項に記載のカメラにおいて、
前記放送内容記録手段で記録された前記放送の内容を再生する放送内容再生手段と、
前記画像データ記録手段で記憶された前記画像データを再生する画像データ再生手段とをさらに備え、
前記放送内容再生手段は、前記画像データ再生手段で前記画像データが再生されると、前記再生される前記画像データに関連づけられて前記放送内容記録手段で記録されている前記放送の内容を再生することを特徴とするカメラ。
【請求項７】
請求項１〜５のいずれか一項に記載のカメラにおいて、
前記放送内容記録手段で記録された前記放送の内容を再生する放送内容再生手段と、
前記画像データ記録手段で記憶された前記画像データを再生する画像データ再生手段とをさらに備え、
前記画像データ再生手段は、前記放送内容再生手段で前記放送の内容が再生されると、前記再生される前記放送の内容に関連づけられて画像データ記録手段で記録されている前記画像データを再生することを特徴とするカメラ。
【請求項８】
請求項６または請求項７に記載のカメラにおいて、
前記放送内容再生手段は、前記放送内容記録手段で記録された前記放送の内容を再生する際に、前記再生される前記放送の内容に関連づけられて画像データ記録手段で記録されている前記画像データが、前記再生される前記放送内容のどの時点に対応するのかが分かるように前記放送内容を再生することを特徴とするカメラ。
【請求項９】
請求項６〜８のいずれか一項に記載のカメラにおいて、
再生する前記放送の内容または前記画像データを選択する選択手段と、
前記選択手段による前記放送の内容または前記画像データのファイルの選択に際して、前記ファイルの内容を示す画像を表示する表示手段と、
前記表示手段に前記ファイルの内容を示す画像を表示する際に、前記ファイルが前記放送の内容または前記画像データに関連づけられて記憶されている場合には、関連づけられたファイルの存在を示すアイコンを、前記ファイルの内容を示す画像とともに表示手段に表示させる表示制御手段をさらに備えることを特徴とするカメラ。
【請求項１０】
コンピュータに、
受信した放送の内容と、撮像して得た被写体像の画像データとを関連づけて記憶する処理を実行させるためのカメラの記録制御プログラム。
【請求項１１】
コンピュータに、
記憶された画像データを再生する処理と、
前記記憶された画像データを再生する際に、再生する前記画像データに関連づけて記憶された放送の内容を再生する処理とを実行させるための再生用プログラム。
【請求項１２】
コンピュータに、
記憶された放送の内容を再生する処理と、
前記記憶された放送の内容を再生する際に、再生する前記放送の内容に関連づけて記憶された画像データを再生する処理とを実行させるための再生用プログラム。
【発明の詳細な説明】
【技術分野】
【０００１】
本発明は、カメラ、カメラの記録制御プログラムおよび再生用プログラムに関する。
【背景技術】
【０００２】
テレビジョン放送を受信して録画する録画機能と、被写体像を撮像するカメラ機能とを備えた装置として、たとえば携帯電話機が知られている（非特許文献１参照）。
【０００３】
【非特許文献１】三洋電機株式会社  au by KDDI W51SA  カタログ
【発明の開示】
【発明が解決しようとする課題】
【０００４】
しかし、従来の装置では、録画された放送の内容と、撮像された被写体像とを関連づけて記憶することができなかった。そのため、たとえば、スポーツ観戦をしている観戦者を撮影しても、撮影して得られた画像を後日再生した際に、観戦しているスポーツのどのシーンで観戦者を撮影したものなのかが分からなくなる恐れがある。
【課題を解決するための手段】
【０００５】
（１）  請求項１の発明によるカメラは、受信した放送の内容を記録する放送内容記録手段と、被写体像を撮像する撮像手段と、撮像手段で撮像して得た被写体像の画像データを記録する画像データ記録手段と、放送内容記録手段で記録する放送の内容と、画像データ記録手段で記録する画像データとを関連づけて記憶するように、放送内容記録手段および画像データ記録手段を制御する記録制御手段とを備えることを特徴とする。
（２）  請求項２の発明は、請求項１に記載のカメラにおいて、関連づけられている、放送内容記録手段で記録される放送の内容と、画像データ記録手段で記憶される画像データとは、当該放送の内容に関する事象と、当該画像データの被写体像に関する事象とに関連性があることを特徴とする。
（３）  請求項３の発明は、請求項１または請求項２に記載のカメラにおいて、放送内容記録手段で記録する放送の内容は、撮像手段で被写体像を撮像する前、および、後の少なくともいずれか一方であることを特徴とする。
（４）  請求項４の発明は、請求項１〜３のいずれか一項に記載のカメラにおいて、記録制御手段は、放送内容記録手段で記録される放送の内容のファイル名と、画像データ記録手段で記憶される画像データのファイル名とを関連づけることにより、放送内容記録手段で記録する放送の内容と、画像データ記録手段で記録する画像データとを関連づけることを特徴とする。
（５）  請求項５の発明は、請求項１〜４のいずれか一項に記載のカメラにおいて、記録制御手段は、放送内容記録手段で記録される放送の内容のファイルの規格であらかじめ定められた、メーカまたはユーザが任意に利用可能な領域と、画像データ記録手段で記憶される画像データのファイルの規格であらかじめ定められた、メーカまたはユーザが任意に利用可能な領域とに所定のデータを書き込むことにより、放送内容記録手段で記録する放送の内容と、画像データ記録手段で記録する画像データとを関連づけることを特徴とする。
（６）  請求項６の発明は、請求項１〜５のいずれか一項に記載のカメラにおいて、放送内容記録手段で記録された放送の内容を再生する放送内容再生手段と、画像データ記録手段で記憶された画像データを再生する画像データ再生手段とをさらに備え、放送内容再生手段は、画像データ再生手段で画像データが再生されると、再生される画像データに関連づけられて放送内容記録手段で記録されている放送の内容を再生することを特徴とする。
（７）  請求項７の発明は、請求項１〜５のいずれか一項に記載のカメラにおいて、放送内容記録手段で記録された放送の内容を再生する放送内容再生手段と、画像データ記録手段で記憶された画像データを再生する画像データ再生手段とをさらに備え、画像データ再生手段は、放送内容再生手段で放送の内容が再生されると、再生される放送の内容に関連づけられて画像データ記録手段で記録されている画像データを再生することを特徴とする。
（８）  請求項８の発明は、請求項６または請求項７に記載のカメラにおいて、放送内容再生手段は、放送内容記録手段で記録された放送の内容を再生する際に、再生される放送の内容に関連づけられて画像データ記録手段で記録されている画像データが、再生される放送内容のどの時点に対応するのかが分かるように放送内容を再生することを特徴とする。
（９）  請求項９の発明は、請求項６〜８のいずれか一項に記載のカメラにおいて、再生する放送の内容または画像データを選択する選択手段と、選択手段による放送の内容または画像データのファイルの選択に際して、ファイルの内容を示す画像を表示する表示手段と、表示手段にファイルの内容を示す画像を表示する際に、ファイルが放送の内容または画像データに関連づけられて記憶されている場合には、関連づけられたファイルの存在を示すアイコンを、ファイルの内容を示す画像とともに表示手段に表示させる表示制御手段をさらに備えることを特徴とする。
（１０）  請求項１０の発明によるカメラの記録制御プログラムは、コンピュータに、受信した放送の内容と、撮像して得た被写体像の画像データとを関連づけて記憶する処理を実行させることを特徴とする。
（１１）  請求項１１の発明による再生用プログラムは、コンピュータに、記憶された画像データを再生する処理と、記憶された画像データを再生する際に、再生する画像データに関連づけて記憶された放送の内容を再生する処理とを実行させことを特徴とする。
（１２）  請求項１２の発明による再生用プログラムは、コンピュータに、記憶された放送の内容を再生する処理と、記憶された放送の内容を再生する際に、再生する放送の内容に関連づけて記憶された画像データを再生する処理とを実行させることを特徴とする。
【発明の効果】
【０００６】
本発明によれば、撮影状況の理解に資する。
【発明を実施するための最良の形態】
【０００７】
−−−第１実施例−−−
図１〜７を参照して、本発明によるカメラ、カメラの記録制御プログラムおよび再生用プログラムの第１の実施の形態を説明する。図１は、携帯情報端末の一例としての電子カメラのブロック図である。電子カメラ１００は、撮像部１と、画像処理部２と、一時記録部３と、ＴＶ受信部４と、電源部５と、コントロール部６と、操作スイッチ部７と、表示部８と、音声出力部９と、記録媒体装着部１０とを備えている。
【０００８】
撮像部１は、ＣＣＤイメージセンサなどによって構成される。撮像部１は、撮影用の不図示のレンズを通過した被写体光による像を撮像し、撮像信号を画像処理部２へ出力する。画像処理部２は、Ａ／Ｄ変換回路やＡＳＩＣなどによって構成される。画像処理部２は、撮像部１から出力されたアナログ撮像信号をデジタル信号に変換して、デジタル変換後の画像データにホワイトバランス処理などの画像処理を行うほか、画像処理後の画像データを所定の形式で圧縮する圧縮処理、圧縮された画像データを伸長する伸長処理などを行う。また、画像処理部２は、後述するＴＶ受信部４から受信したアナログテレビジョン放送の映像信号および音声信号をたとえばＭＰＥＧデータに圧縮する圧縮処理や、圧縮されたＭＰＥＧデータを伸長する伸長処理などを行う。なお、画像処理部２は、上述した画像処理のほかに、後述する表示部８に表示させるためのいわゆるサムネイル画像のデータも生成する。
【０００９】
一時記憶部３は、上述した画像処理後の画像データやサムネイル画像のデータ、ＭＰＥＧデータなどが一時的に記録される内蔵メモリなどによって構成される。ＴＶ受信部４は、アンテナやアナログテレビジョン放送の受信回路等から構成され、受信したテレビジョン放送の映像信号および音声信号を出力する。電源部５は、一次電池や二次電池などの電力源と、電力源の電力を安定的に供給するための電源回路とによって構成される。電源部５は、電子カメラ１００の各部に電力を供給する。
【００１０】
コントロール部６は、マイクロコンピュータなどによって構成される。コントロール部６は、電子カメラ１００の各部から出力される信号を入力して所定の演算を行い、演算結果に基づく制御信号を各部へ出力する。コントロール部６と各部とは互いに接続されている。操作スイッチ部７は、電子カメラ１００のレリーズボタン、ズーム操作ボタン、メイン電源スイッチ、各種設定操作用のボタンやスイッチなどを含む各ボタンやスイッチによって構成されている。操作スイッチ部７は、各ボタンが操作されると、各ボタンに対応するスイッチから、操作内容に応じた操作信号をコントロール部６に出力する。
【００１１】
表示部８は、たとえば液晶表示装置（ＬＣＤ）などによって構成される。表示部８は、撮像して得られた画像や各種のメニュー画面、ＴＶ受信部４で受信したテレビジョン放送の映像を表示する表示モニタとして働くほか、撮像時に、被写体の画像（スルー画）を表示する電子ファインダとして働く。なお、スルー画は、本撮影の前段階として撮像素子１０１で繰り返し取得される予備撮影画像である。本撮影は、不図示のレリーズボタンが全押し操作されたことによる操作信号（撮影指示）に応じて行われる撮影である。音声出力部９は、スピーカや音声信号の増幅回路などによって構成される。音声出力部９は、電子カメラ１００を操作する際の操作音や警告音をスピーカから発するほか、ＴＶ受信部４で受信したテレビジョン放送の音声をスピーカから出力する。
【００１２】
記録媒体装着部１０は、記録媒体１１を着脱可能に保持し、装着された記録媒体１１に記録されたデータの読み込みや消去、記録媒体１１へのデータの書き込みを行う。記録媒体１１は、記録媒体装着部１０に着脱可能なメモリカードであり、画像処理後の画像データやテレビジョン放送のＭＰＥＧデータが記録される。
【００１３】
電子カメラ１００には、上述した構成要素のほかにも、測光や測距など撮像に関する構成要素が設けられているが、これらは公知であり、本願発明には直接関係しないので、説明を省略する。なお、電子カメラ１００は、表示部８にスルー画を表示するスルー画表示機能を有するカメラであれば、一眼レフタイプのカメラでもよく、コンパクトタイプのカメラでもよい。
【００１４】
上述した構成により、電子カメラ１００では、不図示のメイン電源スイッチの操作によって電源がオンされた状態でレリーズボタンが押圧されると、コントロール部６は、シャッタ速度および絞り値を適宜決定する。そしてコントロール部６は、決定したシャッタ速度および絞り値で被写体像を撮像するように撮像部１を制御する。撮像部１から出力された撮像信号は、画像処理部２で処理されて、記録媒体装着部１０に装着された記録媒体１１で画像データとして記録される。電子カメラ１００では、操作スイッチ部７の操作によって、記録媒体１１で記録されている画像データの再生が指示されると、記録媒体装着部１０に装着された記録媒体１１に記録されているサムネイル画像のデータを読み込んで表示部８に表示するように、コントロール部６が各部を制御する。そして、表示されたサムネイル画像から任意のサムネイル画像が選択されると、当該サムネイル画像に係る画像データを読み込んで表示部８に画像を表示するように、コントロール部６が各部を制御する。
【００１５】
電子カメラ１００では、コントロール部６は、ＴＶ受信部４で受信したアナログテレビジョン放送の映像を表示部８に表示し、音声を音声出力部９から出力するように各部を制御する。また、電子カメラ１００では、コントロール部６は、ＴＶ受信部４で受信したアナログテレビジョン放送の映像信号および音声信号をＭＰＥＧデータに圧縮して記録媒体１１に記録するように各部を制御する。さらに、電子カメラ１００では、コントロール部６は、記録媒体１１に記録されているＭＰＥＧデータ（すなわち録画データ）を伸長して、映像を表示部８に表示し、音声を音声出力部９から出力するように各部を制御する。
【００１６】
後述するように、電子カメラ１００では、撮像部１で撮像して得た被写体像の画像データ（撮像データ）と、ＴＶ受信部４で受信したアナログテレビジョン放送の録画データとを関連づけて、記録媒体１１に記録できる。また、電子カメラ１００では、記録媒体１１に記録された撮像データを再生する際に、再生する撮像データに関連づけて記録されている録画データも併せて再生する。以下、詳述する。
【００１７】
−−−撮像時録画モードについて−−−
たとえば、電子カメラ１００のユーザが友人とともに野球場で野球の試合を観戦しているときに、ひいきチームのバッターがホームランを打ち、その様子を見て喜ぶ友人の姿を電子カメラ１００で撮影した場合のことを考える。従来の電子カメラでは、撮影時の日時が記録されるが、後日撮像データを再生しても、ひいきチームのバッターが打ったホームランを見て友人が喜んでいるのか、他のシーン（たとえば相手チームの失策）を見て友人が喜んでいるのかが分からなくなる恐れがある。また、ひいきの選手がバッターボックスに立ったところをユーザが従来のカメラで撮影しても、後日撮像データを再生した際に、何回目の打席のものであったのかが分からなくなる恐れがある。
【００１８】
野球の試合に限らず、サッカーやテニスなどの他のスポーツや、コンサートなどの様々なイベントでも同様のことが起こりうる。すなわち、撮像データの画像が、どのような状況下で撮像されたものかが後日分からなくなる恐れがある。特に、一見しただけでは進捗状況が把握し難い画像では、どのような状況下で撮像されたものかが分かり難い。
【００１９】
しかし、たとえば野球の試合では、その試合の様子がテレビジョン放送の生放送の番組として放送されることがある。野球の試合のテレビジョン放送（中継番組）では、試合の進捗状況を理解しやすくするために、出塁状況やスコア、カウントなどがテレビ受像機の画面上に表示されるように放送されている。この放送番組を録画しておき、電子カメラ１００で撮像して得た撮像データが録画された放送番組の映像（動画）のどのシーンと時間的に一致するのかが簡単に分かれば、その撮像データの画像がどのような状況下で撮像されたものかが容易に把握できる。また、たとえば上述した野球の試合の例では、その場に居合わせたユーザやその友人に撮像データの画像と録画された動画とを見せることで、撮像時のシーンを想起させて、ユーザや友人に撮像時の感動を鮮明によみがえらせることもできる。
【００２０】
そこで、本実施の形態の電子カメラ１００では、撮像時録画モードを設け、撮像時録画モードに設定されると、後述するようにＴＶ受信部４で放送番組を受信して、その内容を直近の一定時間分だけバッファリングするように構成した。そして、撮像部１で被写体像の本撮影が行われると、後述するように本撮影時点の前後の放送番組を一定時間録画して、撮像データと関連づけて、撮像データとともに記録媒体１１に記録するように構成した。
【００２１】
−−−撮像時録画モードにおける被写体像の撮像−−−
すなわち、コントロール部６は、ユーザの操作スイッチ部７の操作入力によって撮像時録画モードに設定されると、アナログテレビジョン放送を受信するようＴＶ受信部４を制御する。そしてコントロール部６は、ＴＶ受信部４で受信した放送番組の映像信号および音声信号を画像処理部２でＭＰＥＧデータに圧縮して一時記録部３に直近の一定時間分（たとえば１分間）だけ一時的に記憶するよう各部を制御する。これにより、電子カメラ１００では、撮像時録画モードに設定されると、ＴＶ受信部４で受信した放送番組の内容が直近の一定時間分だけバッファリングされる。
【００２２】
撮影待機中に操作スイッチ部７の不図示のモニタ再生ボタンが押圧されると、モニタ再生ボタンが押圧されている間だけ、コントロール部６は、ＴＶ受信部４で受信した放送番組の映像および音声を表示部８や音声出力部９から出力するよう各部を制御する。コントロール部６は、モニタ再生ボタンが押圧されている間に、操作スイッチ部７の不図示の十字キースイッチボタンの左右いずれか一方が押圧されると、十字キースイッチボタンが押圧される毎に、受信チャンネルを変更するようＴＶ受信部４を制御する。コントロール部６は、モニタ再生ボタンが押圧されている間に、十字キースイッチボタンの上下いずれか一方が押圧されると、十字キースイッチボタンが押圧される毎に、音声出力部９から出力される音声の音量を変更するように音声出力部９を制御する。
【００２３】
コントロール部６は、モニタ再生ボタンの押圧が中止されると、表示部８における放送番組の映像の表示、および、音声出力部９からの音声の出力を中止し、スルー画を表示部８に表示するよう各部を制御する。
【００２４】
したがって、撮像データに関連づけて録画すべき放送番組を受信しているか否かを確認するためには、ユーザはモニタ再生ボタンを押圧すればよい。モニタ再生ボタンが押圧されている間は、ＴＶ受信部４で受信した放送番組の映像が表示部８に表示され、放送番組の音声が音声出力部９から出力される。ユーザは、モニタ再生ボタンを押圧しながら十字キースイッチボタンの左右いずれか一方を押圧することで、受信放送局を選局できる。ユーザは、モニタ再生ボタンを押圧しながら十字キースイッチボタンの上下いずれか一方を押圧することで、受信確認中に（モニタ再生ボタン押圧中に）音声出力部９から出力される音声の音量を調節できる。ユーザがモニタ再生ボタンの押圧を止めると、表示部８における放送番組の映像の表示、および、音声出力部９からの音声の出力が中止され、スルー画が表示部８に表示される。
【００２５】
ここで、操作スイッチ部７の不図示のレリーズボタンが半押し操作されると、コントロール部６は、図２に示すように、撮像部１で撮像して得たスルー画（スルー画８１）と、ＴＶ受信部４で受信した放送番組の映像（放送映像８２）とを表示部８に２画面表示するよう各部を制御する。なお、図2において、８ａは表示部８の画像表示面を示す。ユーザは、レリーズボタンを半押し操作することで、表示部８に表示されるスルー画８１と放送映像８２とを同時に観察できる。
【００２６】
レリーズボタンが全押し操作されると、コントロール部６はシャッタ速度および絞り値を適宜決定し、本撮影するよう撮像部１を制御する。コントロール部６は、撮像部１で撮像された被写体像のアナログ撮像信号を、上述したように画像処理部２で画像処理および圧縮処理し、所定のファイル名を付して、撮像データとして記録媒体１１に記録するよう各部を制御する。
【００２７】
また、コンロール部６は、バッファリングしているレリーズボタン全押し操作前１分間のＭＰＥＧデータと、レリーズボタン全押し操作後に一時記録部３で記憶される１分間のＭＰＥＧデータとを１つのファイルとして、撮像データと同じファイル名を付して記録媒体１１に記録するよう各部を制御する。すなわち、コントロール部６は、レリーズボタンが全押し操作される前後１分間ずつ、計２分間の放送番組の録画データに撮像データと同じファイル名を付すことで、撮像データと録画データとを関連づけて記録媒体１１に記録させる。なお、上述した時間（１分間）は一例である。
【００２８】
たとえば、コントロール部６は、撮像データに「０００１」という通し番号をファイル名として付した場合には、撮像データと関連づける録画データに撮像データのファイル名と同じ「０００１」をファイル名として付する。同様に、コントロール部６は、撮像データに「０００２」をファイル名として付した場合には、撮像データと関連づける録画データに「０００２」をファイル名として付し、撮像データに「０００３」をファイル名として付した場合には、撮像データと関連づける録画データに「０００３」をファイル名として付する。なお、撮像データと録画データとでは、ファイルのフォーマットが異なり、拡張子が異なるため、同じファイル名を付しても問題はない。
【００２９】
コントロール部６は、録画データを記録媒体１１に記録させる際、撮像データが録画データのどの時点で撮像されたのかを示す情報（撮像時点情報）を、あわせて記憶するよう各部を制御する。撮像時点情報については、たとえばＭＰＥＧデータのシーケンス層のＵＤ（Ｕｓｅｒ  Ｄａｔｅ）のように、ユーザやメーカが自由に利用できる領域に記録するようにしてもよい。なお、撮像データには、撮像データのサムネイル画像も含まれている。
【００３０】
このように電子カメラ１００では、本撮影時に放送されている番組放送を録画して、撮像データと録画データとを関連づけて記録する。
【００３１】
−−−撮像時録画モードで撮像して得られた撮像データの再生−−−
上述した撮像時録画モードで被写体像を撮像した後、撮像データを再生する際には、電子カメラ１００では次のように処理が行われる。撮像データを再生するモードとなるように操作スイッチ部７が操作されると、コントロール部６は、装着されている記録媒体１１から撮像データのサムネイル画像を読み込んで、図３に示すように、表示部８に表示するよう各部を制御する。図３において、８３はサムネイル画像を示す。なお、コントロール部６は、サムネイル画像を読み込んだ撮像データのファイル名と同じファイル名を有する録画データが記録媒体１１に記録されている場合には、関連づけて記憶されている録画データがあることを示すアイコン８４を、表示部８に表示させるサムネイル画像８３に重ねて表示するよう各部を制御する。
【００３２】
操作スイッチ部７が操作されて、表示部８に表示されたサムネイル画像８３から任意のサムネイル画像８３が選択されると、コントロール部６は、選択されたサムネイル画像８３に対応する撮像データを記録媒体１１から読み込んで、表示部８に表示するよう各部を制御する。また、コントロール部６は、選択されたサムネイル画像８３に対応する撮像データと同じファイル名を有する録画データが記録媒体１１に記録されている場合には、図４（ａ）に示すように、関連づけて記憶されている録画データも同時に再生するよう各部を制御する。
【００３３】
図４（ａ）において、８５は撮像データから再生された静止画像であり、８６は録画データから再生された動画であり、８７は撮像データの撮影情報であり、８８は再生された動画の再生可能時間（録画時間）や、どの時点まで再生されたかを示す表示バーである。図４（ｂ）は、表示バー８８の詳細を示す図である。表示バー８８には、録画データがどの時点まで再生されたのかを示すバーグラフ８８ａと、録画データに関連づけて記憶された撮像データが録画データ中のどの時点で撮像して得られたものなのかを示す撮像時点マーク８８ｂとが示される。なお、上述したように、録画データには、本撮影の前後１分間ずつの放送番組が録画されているため、撮像時点マーク８８ｂは、表示バー８８に略中央に表示されることとなる。すなわち、撮像時点マーク８８ｂは、録画データ記録期間中の本撮影の時期を反映して表示バー８８上に表示される。
【００３４】
−−−フローチャート−−−
図５は、撮像時録画モードにおける被写体像の撮像の際に電子カメラ１００で行われる処理についてのフローチャートを示す図である。図５のフローチャートによるプログラムは、操作スイッチ部７の操作入力によって撮像時録画モードに設定されると起動してコントロール部６で実行される。ステップＳ１において、放送番組の受信を開始するようＴＶ受信部４に制御信号を出力してステップＳ３へ進む。
【００３５】
ステップＳ３において、ＴＶ受信部４で受信した放送番組の映像信号および音声信号を画像処理部２でＭＰＥＧデータに圧縮して一時記録部３に直近の一定時間分だけ一時的に記憶するよう各部を制御してステップＳ５へ進む。ステップＳ５において、撮像部１で撮像して得たスルー画を表示部８に表示するよう各部を制御してステップＳ７へ進む。ステップＳ７において、レリーズボタンが半押し操作されて、レリーズボタンに対応する不図示のスイッチ（レリーズスイッチ）から出力される半押し操作信号を受信するまで待機する。
【００３６】
ステップＳ７が肯定判断されるとステップＳ９へ進み、図２に示すように、撮像部１で撮像して得たスルー画と、ＴＶ受信部４で受信した放送番組の映像とを表示部８に２画面表示するよう各部を制御してステップＳ１１へ進む。ステップＳ１１において、レリーズボタンが全押し操作されて、レリーズスイッチから出力される全押し操作信号を受信したか否かを判断する。ステップＳ１１が否定判断されるとステップＳ７へ戻る。ステップＳ１１が肯定判断されるとステップＳ１３へ進み、本撮影を行うよう各部を制御してステップＳ１５へ進む。
【００３７】
ステップＳ１５において、ステップＳ１３の本撮影で得られた被写体像の撮像データと、レリーズボタンの全押し操作の前後１分間ずつの放送番組の録画データとに、上述したように同じファイル名を付して記録媒体１１に記録するよう各部を制御してリターンする。
【００３８】
図６は、撮像時録画モードにおける撮影待機中に、不図示のモニタ再生ボタンが押圧された際に電子カメラ１００で行われる処理についてのフローチャートを示す図である。図６のフローチャートによるプログラムは、撮像時録画モードに設定されているときにモニタ再生ボタンが押圧されたことを示す操作信号をコントロール部６が受信すると起動して、上述した図５のフローチャートによるプログラムに割り込む形でコントロール部６で実行される。
【００３９】
ステップＳ２１において、モニタ再生ボタンが押圧され続けているか否か、すなわち、モニタ再生ボタンに対応する不図示のスイッチ（モニタ再生スイッチ）から操作信号が継続して出力されているか否かを判断する。ステップＳ２１が肯定判断されるとステップＳ２３へ進み、ＴＶ受信部４で受信した放送番組の映像および音声を表示部８や音声出力部９から出力するよう各部を制御してステップＳ２５へ進む。
【００４０】
ステップＳ２５において、モニタ再生ボタンが押圧されている間に、不図示の十字キースイッチボタンの左右いずれか一方が押圧されたか否かを判断する。すなわち、ステップＳ２５において、モニタ再生スイッチから操作信号を受信し、かつ、十字キースイッチボタンに対応する不図示の十字キースイッチから、十字キースイッチボタンの左右への押圧操作に対応する操作信号を受信したか否かを判断する。ステップＳ２５が肯定判断されるとステップＳ２７へ進み、十字キースイッチから受信した操作信号に応じて受信チャンネルを変更するようＴＶ受信部４を制御してステップＳ２１へ戻る。
【００４１】
ステップＳ２５が否定判断されるとステップＳ２９へ進み、モニタ再生ボタンが押圧されている間に、十字キースイッチボタンの上下いずれか一方が押圧されたか否かを判断する。すなわち、ステップＳ２９において、モニタ再生スイッチから操作信号を受信し、かつ、十字キースイッチから、十字キースイッチボタンの上下への押圧操作に対応する操作信号を受信したか否かを判断する。ステップＳ２９が肯定判断されるとステップＳ３１へ進み、十字キースイッチから受信した操作信号に応じて、音声出力部９から出力される音声の音量を変更するように音声出力部９を制御してステップＳ２１へ戻る。ステップＳ２９が否定判断されるとステップＳ２１へ戻る。
【００４２】
ステップＳ２１が否定判断されると、ステップＳ３３へ進み、本プログラムによる割込処理を終了する。
【００４３】
図７は、撮像データを再生するモード（再生モード）における撮像データの再生の際に電子カメラ１００で行われる処理についてのフローチャートを示す図である。図７のフローチャートによるプログラムは、操作スイッチ部７の操作入力によって再生モードに設定されると起動してコントロール部６で実行される。ステップＳ４１において、記録媒体１１に記録された任意の１つの撮像データから、その撮像データに含まれるサムネイル画像を読み込んでステップＳ４３へ進む。ステップＳ４３において、ステップＳ４１でサムネイル画像を読み込んだ撮像データと同じファイル名の録画データが記録媒体１１に記録されているか否かを判断する。
【００４４】
ステップＳ４３が肯定判断されるとステップＳ４５へ進み、ステップＳ４１で読み込んだサムネイル画像を後に表示部８に表示する際に、上述したアイコン８４を付して表示するように設定する。ステップＳ４５が実行されるか、ステップＳ４３が否定判断されるとステップＳ４７へ進み、記録媒体１１に記録されたすべての撮像データからサムネイル画像を読み込んだか否かを判断する。ステップＳ４７が否定判断されるとステップＳ４１へ戻る。
【００４５】
ステップＳ４７が肯定判断されるとステップＳ４９へ進み、図３に示すように読み込んだサムネイル画像を表示部８に表示させてステップＳ５１へ進む。ステップＳ５１において、操作スイッチ部７が操作されて、表示部８に表示されたサムネイル画像８３から任意のサムネイル画像８３が選択されるまで待機する。ステップＳ５１が肯定判断されるとステップＳ５３へ進み、ステップＳ５１で選択されたサムネイル画像にアイコン８４が付されているか否か、すなわち、ステップＳ５１で選択されたサムネイル画像に対応する撮像データと同じファイル名を有する録画データが記録媒体１１に記録されているか否かを判断する。
【００４６】
ステップＳ５３が肯定判断されるとステップＳ５５へ進み、ステップＳ５１で選択されたサムネイル画像に対応する撮像データと、当該撮像データと同じファイル名を有する録画データとを、図４（ａ）に示すように同時に再生するよう各部を制御してステップＳ５７へ進む。ステップＳ５７において、操作スイッチ部７の操作入力によって再生モード以外のモードに設定されたか否かを判断する。ステップＳ５７が肯定判断されると本プログラムを終了する。
【００４７】
ステップＳ５７が否定判断されるとステップＳ５９へ進み、すでに再生している撮像データとは別の撮像データのサムネイル画像が選択されるように操作されたか否かを判断する。ステップＳ５９が否定判断されるとステップＳ５７へ戻る。ステップＳ５９が肯定判断されるとステップＳ５３へ戻る。
【００４８】
ステップＳ５３が否定判断されるとステップＳ６１へ進み、ステップＳ５１で選択されたサムネイル画像に対応する撮像データ再生するよう各部を制御してステップＳ５７へ進む。
【００４９】
上述した第１の実施の形態の電子カメラ１００では、次の作用効果を奏する。
（１）  撮像部１で撮像して得た撮像データと、ＴＶ受信部４で受信した放送番組の録画データとを関連づけて記憶するように構成した。これにより、後日撮像データを再生する際に、撮像データと関連づけて記憶されている録画データを特定して再生できるようになる。したがって、録画データを再生することで、撮像データがどのような状況下で撮影されたものなのかが推測できるようになり、利便性が高い。上述した野球の試合の例では、たとえば、録画データを再生した際に、ひいきチームのバッターがホームランを打つシーンが再生されれば、撮像データの再生画像に喜んでいる友人の姿が写っていても、なぜ友人が喜んでいるのかが容易に推測できる。
【００５０】
（２）  撮影対象と何らかの関連性を有する内容が放送されている放送波を受信できる環境下であれば、当該放送を選局して受信することで、撮像部１で撮像して得た撮像データと関連性を有する放送番組の録画データを記録できるように構成した。これにより、録画データを再生することで、撮像データがどのような状況下で撮影されたものなのかが確実に認識できるようになり、利便性が高いだけでなく、その場に居合わせたユーザなどが撮像データの画像と録画された動画とを見ることで、撮像時のシーンを想起でき、撮像時の感動を再び味わうことも可能となる。
【００５１】
（３）  本撮影の前後一定時間ずつの放送番組の内容を録画するように構成したので、録画データを再生することで本撮影時の前後の状況を容易に認識できるようになる。
【００５２】
（４）  ファイル名を同じに（共通化）することで撮像データと録画データとを関連づけて記憶するように構成した。これにより、ファイル名を付す際の処理や、関連づけられた相手のデータの有無を判断する処理が容易となり、処理プログラムが単純なものとなり、作成も容易となる。また、パーソナルコンピュータ等のような画像や映像を再生可能な外部の装置を用いて、記録媒体１１に記録された撮像データや録画データを再生する際に、外部の装置の操作者が関連づけられた相手のデータを容易に発見できるようになる。したがって、外部の装置の操作者も撮像データがどのような状況下で撮影されたものなのかが推測できるようになり、利便性が高い。
【００５３】
（５）  録画データと関連づけて記憶されている撮像データが再生されると、当該録画データも同時に再生されるように構成した。これにより、再生する撮像データに関連づけられた録画データをユーザがわざわざ探す必要がなくなるので、ユーザの操作の手間を省くことができる。
【００５４】
（６）  撮像データに関連づけられた録画データを再生する場合には、表示バー８８を表示するように構成した。これにより、たとえば２分間の録画データの中で、どのシーンで本撮影が行われたかが容易に理解できるようになるので、本撮影が行われたときの状況の正確な理解に資する。
【００５５】
（７）  サムネイル画像を読み込んだ撮像データのファイル名と同じファイル名を有する録画データが記録媒体１１に記録されている場合には、関連づけて記憶されている録画データがあることを示すアイコン８４を、表示部８に表示させるサムネイル画像８３に重ねて表示するように構成した。これにより、撮像データに関連のある録画データの存在を容易に認識できるので、撮像データに関連づけられた録画データの有無を考慮してユーザが再生する撮像データを任意に選択可能となり、ユーザの意志を反映できる。
【００５６】
−−−第２の実施の形態−−−
図８〜１４を参照して、本発明によるカメラ、カメラの記録制御プログラムおよび再生用プログラムの第２の実施の形態を説明する。以下の説明では、第１の実施の形態と同じ構成要素には同じ符号を付して相違点を主に説明する。特に説明しない点については、第１の実施の形態と同じである。本実施の形態では、ＴＶ受信部４で受信した放送番組を録画している最中に、撮像部１によって被写体像の本撮影が行われた場合について説明する。
【００５７】
−−−録画時撮影モードについて−−−
たとえば、第１の実施の形態で説明した例と同様に、電子カメラ１００のユーザが友人とともに野球場で野球の試合を観戦しているときのことを考える。従来のカメラにテレビジョン放送の受信機能および録画機能が備えられていれば、その試合を生放送で中継している放送番組を録画することができる。そのときに、たとえばひいきチームのバッターがホームランを打ち、その様子を見て喜ぶ友人の姿や打った選手の姿を従来のカメラで撮影することが考えられる。この場合にも、上述したように、撮像データがどのような状況下で撮影して得られたものであるのかが後日分からなくなる恐れがある。また、上述した野球の試合の例では、居合わせた友人の様子を撮影しているにもかかわらず、従来のカメラで録画された試合の番組を後日再生した際に、ホームランや好守、好走などのシーンで、友人がどのような反応を見せたのかが分かり難い。
【００５８】
そこで、本実施の形態の電子カメラ１００では、録画時撮影モードを設け、録画時撮影モードに設定されると、後述するようにＴＶ受信部４で放送番組を受信して録画するように構成した。そして、放送番組の録画中に撮像部１で被写体像の本撮影が行われると、後述するように撮像データを録画データと関連づけて、録画データとともに記録媒体１１に記録するように構成した。
【００５９】
−−−録画時撮影モードにおける被写体像の撮像−−−
すなわち、コントロール部６は、ユーザの操作スイッチ部７の操作入力によって録画時撮影モードに設定されると、アナログテレビジョン放送を受信するようＴＶ受信部４を制御する。そしてコントロール部６は、ユーザの操作によって上述したように選局操作がなされ、録画開始の指示が与えられると、ＴＶ受信部４で受信した放送番組の映像信号および音声信号を画像処理部２でＭＰＥＧデータに圧縮して記録媒体１１に記憶する（録画する）よう各部を制御する。また、コントロール部６は、放送番組の録画を開始すると、電子カメラ１００を撮影待機状態とするよう各部を制御する。コントロール部６は、放送番組の録画中には、ＴＶ受信部４で受信した放送番組の映像を表示部８に表示し、放送番組の音声を音声出力部９から出力するよう各部を制御する。なお、事前の設定により、放送番組の録画中に、放送番組の映像の表示および音声の出力をしないようにすることもできる。
【００６０】
ここで、操作スイッチ部７の不図示のレリーズボタンが半押し操作されると、コントロール部６は、図２に示すように、撮像部１で撮像して得たスルー画８１と、ＴＶ受信部４で受信した放送番組の放送映像８２とを表示部８に２画面表示するよう各部を制御する。レリーズボタンが全押し操作されると、コントロール部６はシャッタ速度および絞り値を適宜決定し、本撮影するよう撮像部１を制御する。コントロール部６は、撮像部１で撮像された被写体像のアナログ撮像信号を、上述したように画像処理部２で画像処理および圧縮処理し、後述するようにファイル名を付して、撮像データとして記録媒体１１に記録するよう各部を制御する。
【００６１】
たとえば、コントロール部６は、放送番組の録画データに「０００１」という通し番号をファイル名として付す場合には、録画データのファイル名の後に当該録画データの記録中に行われた本撮影の回数を通し番号（たとえば０１，０２等）を付した「０００１−０１」を撮像データのファイル名として付す。ここで、ファイル名「０００１−０１」のうち、ハイフンより右側の「０１」が当該録画データの記録中に行われた本撮影の回数の通し番号に該当する。
【００６２】
コントロール部６は、録画データを記録媒体１１に記録させる際、それぞれの撮像データが録画データのどの時点で撮像されたのかを示す情報（撮像時点情報）を、あわせて記録するよう各部を制御する。
【００６３】
このように第２の実施の形態の電子カメラ１００では、放送番組の録画中に本撮影が行われると、撮像データと録画データとを関連づけて記録する。
【００６４】
−−−録画時撮影モードで録画された録画データの再生−−−
上述した録画時撮影モードで放送番組を録画した後、その録画データを再生する際には、電子カメラ１００では次のように処理が行われる。録画データの再生モードとなるように操作スイッチ部７が操作されると、コントロール部６は、装着されている記録媒体１１から録画データのサムネイル画像を読み込んで、図８に示すように、表示部８に表示するよう各部を制御する。図８において、９３はサムネイル画像を示す。
【００６５】
なお、コントロール部６は、サムネイル画像を読み込んだ録画データのファイル名（たとえば「０００１」）と同じファイル名を一部に有する（たとえば「０００１−０１」）撮像データが記録媒体１１に記録されているか否かを判断する。そして、コントロール部６は、該当する撮像データが存在すると判断した場合には、関連づけて記憶されている撮像データがあることを示すアイコン９４を、表示部８に表示させるサムネイル画像９３に重ねて表示するよう各部を制御する。
【００６６】
操作スイッチ部７が操作されて、表示部８に表示されたサムネイル画像９３から任意のサムネイル画像９３が選択されると、コントロール部６は、選択されたサムネイル画像９３に対応する録画データを記録媒体１１から読み込む。そして、コントロール部６は、読み込んだ録画データを再生して、図９に示すように表示部８に動画９５として表示するとともに、再生された動画９５の再生可能時間（録画時間）や、どの時点まで再生したかを示す表示バー９８を表示するよう各部を制御する。
【００６７】
また、コントロール部６は、選択されたサムネイル画像９３に対応する録画データと同じファイル名を一部に有する撮像データが記録媒体１１に記録されている場合には、図９に示すように、表示バー９８に撮像時点マーク９８ｂを表示させる。撮像時点マーク９８ｂは、録画データに関連づけて記憶された撮像データが録画データ中のどの時点で撮像して得られたものなのか（放送内容のどの時点に対応するのか）を示すマークである。表示バー９８において、９８ａは録画データをどの時点まで再生したかを示すバーグラフである。
【００６８】
撮像データが撮像された時点まで録画データが再生されると、コントロール部６は、当該撮像データを記録媒体１１から読み込んで、図１０に示すように、再生している動画９５とともに再生して２画面表示を行う。図１０において、９６は記録媒体１１から読み込まれて再生された撮像データの静止画像である。コントロール部６は、図１０に示すように、動画９５と静止画像９６とを表示部８に所定時間（たとえば１分間）表示させた後、静止画像９６の表示を中止して、図９に示すように動画９５の再生を継続するよう各部を制御する。
【００６９】
−−−フローチャート−−−
図１１は、録画時撮影モードにおける放送番組の録画の際に電子カメラ１００で行われる処理についてのフローチャートを示す図である。図１１のフローチャートによるプログラムは、操作スイッチ部７の操作入力によって録画時撮影モードに設定されると起動してコントロール部６で実行される。ステップＳ１０１において、放送番組の受信を開始するようＴＶ受信部４に制御信号を出力してステップＳ１０３へ進む。
【００７０】
ステップＳ１０３において、操作スイッチ部７の操作入力によって、ＴＶ受信部４で受信している放送番組の録画開始が指示されるまで待機する。ステップＳ１０３が肯定判断されるとステップＳ１０５へ進み、ＴＶ受信部４で受信している放送番組の録画開始を開始するよう各部を制御してステップＳ１０７へ進む。
【００７１】
ステップＳ１０７において、操作スイッチ部７の操作入力によって、ステップＳ１０５で開始した録画を終了するよう指示されるまで待機する。ステップＳ１０７が肯定判断されるとステップＳ１０９へ進み、ステップＳ１０５で開始した録画を終了するよう各部を制御してリターンする。
【００７２】
図１２は、録画時撮影モードにおける被写体像の撮像の際に電子カメラ１００で行われる処理についてのフローチャートを示す図である。図１２のフローチャートによるプログラムは、操作スイッチ部７の操作入力によって録画時撮影モードに設定されると起動してコントロール部６で実行される。なお、図１２のフローチャートによるプログラムは、図１１のフローチャートによるプログラムと並行して実行される。
【００７３】
ステップＳ１１７において、レリーズボタンが半押し操作されて、レリーズスイッチから出力される半押し操作信号を受信するまで待機する。ステップＳ１１７が肯定判断されるとステップＳ１１９へ進み、図２に示すように、スルー画と、ＴＶ受信部４で受信した放送番組の映像とを表示部８に２画面表示するよう各部を制御してステップＳ１２１へ進む。
【００７４】
ステップＳ１２１において、レリーズボタンが全押し操作されて、レリーズスイッチから出力される全押し操作信号を受信したか否かを判断する。ステップＳ１２１が否定判断されるとステップＳ１１７へ戻る。ステップＳ１２１が肯定判断されるとステップＳ１２３へ進み、本撮影を行うよう各部を制御してステップＳ１２５へ進む。
【００７５】
ステップＳ１２５において、ステップＳ１２３の本撮影で得られた被写体像の撮像データに対して、上述したようにファイル名を付して記録媒体１１に記録するとともに、録画データに撮像時点情報を記録するよう各部を制御してリターンする。
【００７６】
図１３，１４は、再生モードにおける録画データの再生の際に電子カメラ１００で行われる処理についてのフローチャートを示す図である。図１３，１４のフローチャートによるプログラムは、操作スイッチ部７の操作入力によって動画再生モードに設定されると起動してコントロール部６で実行される。ステップＳ１４１において、記録媒体１１に記録された任意の１つの動画データから、その動画データに含まれるサムネイル画像を読み込んでステップＳ１４３へ進む。ステップＳ１４３において、ステップＳ１４１でサムネイル画像を読み込んだ録画データと同じファイル名を一部に有する撮像データが記録媒体１１に記録されているか否かを判断する。
【００７７】
ステップＳ１４３が肯定判断されるとステップＳ１４５へ進み、ステップＳ１４１で読み込んだサムネイル画像を後に表示部８に表示する際に、上述したアイコン９４を付して表示するように設定する。ステップＳ１４５が実行されるか、ステップＳ１４３が否定判断されるとステップＳ１４７へ進み、記録媒体１１に記録されたすべての録画データからサムネイル画像を読み込んだか否かを判断する。ステップＳ１４７が否定判断されるとステップＳ１４１へ戻る。
【００７８】
ステップＳ１４７が肯定判断されるとステップＳ１４９へ進み、図８に示すように読み込んだサムネイル画像を表示部８に表示させてステップＳ１５１へ進む。ステップＳ１５１において、操作スイッチ部７が操作されて、表示部８に表示されたサムネイル画像９３から任意のサムネイル画像９３が選択されるまで待機する。ステップＳ１５１が肯定判断されると図１４のステップＳ１５３へ進み、図１３のステップＳ１５１で選択されたサムネイル画像にアイコン９４が付されているか否か、すなわち、ステップＳ１５１で選択されたサムネイル画像に対応する録画データと同じファイル名を一部に有する撮像データが記録媒体１１に記録されているか否かを判断する。
【００７９】
ステップＳ１５３が肯定判断されるとステップＳ１５５へ進み、ステップＳ１５１で選択されたサムネイル画像に対応する録画データを、図９に示すように動画として再生するよう各部を制御してステップＳ１５６ａに進む。ステップＳ１５６ａにおいて、操作スイッチ部７が操作されて、動画の再生終了指示がされたか否かを判断する。ステップＳ１５６ａが否定判断されるとステップＳ１５６ｂへ進み、録画データと関連づけられた撮像データが撮像された時点まで録画データが再生されたか否かを判断する。
【００８０】
ステップＳ１５６ｂが肯定判断されるとステップＳ１５６ｃへ進み、ステップＳ１５６ｂの判断対象とされた撮像データを記録媒体１１から読み込んで、図１０に示すように、再生させている動画９５とともに、所定時間だけ再生・表示させる。ステップＳ１５６ｂが実行されるか、ステップＳ１５６ｂが否定判断されるとステップＳ１５６ｄへ進む。ステップＳ１５６ｄにおいて、ステップＳ１５５で開始した録画データの再生が最後まで行われたか否かを判断する。ステップＳ１５６ｄが否定判断されるとステップＳ１５６ａに戻る。ステップＳ１５６ｄが肯定判断されるとステップＳ１５６ｅへ進み、動画の再生を停止してステップＳ１５７へ進む。
【００８１】
ステップＳ１５７において、操作スイッチ部７の操作入力によって再生モード以外のモードに設定されたか否かを判断する。ステップＳ１５７が肯定判断されると本プログラムを終了する。
【００８２】
ステップＳ１５７が否定判断されるとステップＳ１５９へ進み、すでに再生した録画データとは別の録画データのサムネイル画像が選択されるように操作されたか否かを判断する。ステップＳ１５９が肯定判断されるとステップＳ１５３へ戻る。ステップＳ１５９が否定判断されるとステップＳ１６０へ進み、操作スイッチ部７が操作されて、動画の再生開始指示がされたか否かを判断する。ステップＳ１６０が肯定判断されるとステップＳ１５５へ戻る。ステップＳ１６０が否定判断されるとステップＳ１５７へ戻る。
【００８３】
ステップＳ１５６ａが肯定判断されるとステップＳ１５６ｅへ進む。
【００８４】
ステップＳ１５３が否定判断されるとステップＳ１６１へ進み、図１３のステップＳ１５１で選択されたサムネイル画像に対応する録画データを再生するよう各部を制御してステップＳ１６２ａへ進む。ステップＳ１６２ａにおいて、操作スイッチ部７が操作されて、動画の再生終了指示がされたか否かを判断する。ステップＳ１６２ａが否定判断されるとステップＳ１６２ｂへ進み、ステップＳ１６１で開始した録画データの再生が最後まで行われたか否かを判断する。ステップＳ１６２ｂが否定判断されるとステップＳ１６２ａに戻る。ステップＳ１６２ｂが肯定判断されるとステップＳ１５６ｅへ進む。ステップＳ１６２ａが肯定判断されるとステップＳ１５６ｅへ進む。
【００８５】
上述した第２の実施の形態の電子カメラ１００では、第１の実施の形態の作用効果に加えて次の作用効果を奏する。
（１）  録画時撮影モードで放送番組を録画しているときに電子カメラ１００で被写体像が撮像されると、放送番組の録画データに撮像部１で撮像して得た撮像データを関連づけて記憶するように構成した。これにより、後日録画データを再生する際に、録画データと関連づけて記憶されている撮像データを特定して再生できるようになる。したがって、撮像データを再生することで、録画データが録画されている状況下で、ユーザの周囲でどのようなことが起こっていたのかを推測できるようになり、利便性が高い。
【００８６】
（２）  ファイル名に共通する名称を付することで撮像データと録画データとを関連づけて記憶するように構成した。これにより、ファイル名を付す際の処理や、関連づけられた相手のデータの有無判断する処理が容易となり、処理プログラムの構成が単純化され、作成が容易となる。また、パーソナルコンピュータ等のような画像や映像を再生可能な外部の装置を用いて、記録媒体１１に記録された撮像データや録画データを再生する際に、外部の装置の操作者が関連づけられた相手のデータを容易に発見できるようになる。したがって、外部の装置の操作者も録画データが録画されている状況下で、ユーザの周囲でどのようなことが起こっていたのかを推測できるようになり、利便性が高い。
【００８７】
（３）  撮像データが撮像された時点まで録画データが再生されると、再生している動画９５とともに、当該撮像データを再生して静止画として表示するように構成した。これにより、再生する録画データに関連づけられた撮像データをユーザがわざわざ探す必要がなくなるので、ユーザの操作の手間を省くことができる。また、撮像データを再生した静止画像がタイムリーに表示されるようになるので、録画データが録画されている状況下で、ユーザの周囲で起こった事象がいつの時点のことであるかを正確に理解できるようになる。
【００８８】
（４）  録画データを再生する場合には、表示バー９８を表示するように構成した。また、関連する撮像データがある場合には、表示バー９８に撮像時点マーク９８ｂを表示させるように構成した。これにより、たとえば再生する録画データの中で、電子カメラ１００による本撮影がいつ、何回行われたかが容易に理解できるようになるので、利便性が高い。また、撮像時点マーク９８ｂが再生する動画のしおりのような役割を果たすので、電子カメラ１００による本撮影が行われた時点の前後だけ録画データを再生するというような操作も可能となり、見たいところだけ動画を再生するというユーザの意志を反映できる。
【００８９】
（５）  サムネイル画像を読み込んだ録画データのファイル名と同じファイル名を一部に有する撮像データが記録媒体１１に記録されている場合には、関連づけて記憶されている撮像データがあることを示すアイコン９４を、表示部８に表示させるサムネイル画像９３に重ねて表示するように構成した。これにより、録画データに関連のある撮像データの存在を容易に認識できるので、当該撮像データの有無を考慮してユーザが再生する録画データを任意に選択可能となり、ユーザの意志を反映できる。
【００９０】
−−−変形例−−−
（１）  上述した第１の実施の形態では、撮像データに関連する録画データを、本撮影の前後１分ずつ録画し、撮像データの再生時には、記録した録画データのはじめから終わりまでを再生するように構成したが、本発明はこれに限定されない。録画データを本撮影のたとえば前後１分間ずつ記録し、撮像データの再生時には、記録した録画データのうち、本撮影のたとえば前後３０秒間ずつを再生するように構成してもよい。また、録画データの記録時間や、撮像データの再生時に再生する録画データの再生時間をユーザが任意に設定できるように構成してもよい。
【００９１】
（２）  上述の説明では、ＴＶ受信部４は、アナログテレビジョン放送の放送波を受信するように構成しているが、本発明はこれに限定されない。たとえば、ＩＳＤＢ−Ｔ規格に対応した地上デジタル放送の放送波を受信できるようにＴＶ受信部４を構成してもよい。なお、このように構成した場合には、録画データとともに、録画する放送番組の放送波に含まれるＥＩＴ（Event information Table）を参照して番組の名称や放送日時などの情報を記録するように構成してもよい。そして、録画データを再生する際には、あわせて記録している番組の名称や放送日時などの情報を表示部８に表示するように構成してもよい。
【００９２】
（３）  上述した第１の実施の形態において、短い期間（たとえば１分以内）に撮像部１で被写体像の本撮影が連続して行われた場合には、録画データの記録期間を、連続撮影の最初の１コマ目が撮影された時点の１分前から連続撮影の最後の１コマが撮影されてから１分後までとしてもよい。この場合には、第２の実施の形態の場合と同様に、放送番組の録画データには、たとえば「０００１」という通し番号をファイル名として付す。撮像データには、録画データのファイル名の後に連続撮影の回数を通し番号（たとえば０１，０２等）を付した、たとえば「０００１−０１」をファイル名として付す。
【００９３】
このように録画データを記録した場合、連続撮影に係る撮像データを再生する際には、再生する撮像データのファイル名（たとえば「０００１−０１」）のハイフンより前の部分（たとえば「０００１」）と同じファイル名を有する録画データを記録媒体１１から読み出して、第１の実施の形態の場合と同様に、静止画像と動画とを表示するようにすればよい。この場合、図１５に示すように、撮像時点マーク８８ｂは、録画データ記録期間中の本撮影の時期を反映するため、表示バー８８の略中央からずれた位置に表示されることがある。なお、再生されている撮像データとは異なる、連続撮影に係る他の撮像データについての撮像時点マーク８８ｃを、撮像時点マーク８８ｂとは識別可能に表示するようにしてもよい。図１５の例では、たとえば撮像時点マーク８８ｃを撮像時点マーク８８ｂとは異なる色調などで表示していることを示している。
【００９４】
（４）  電子カメラ１００で撮影および録画を行い、上述した撮像データおよび録画データを記憶させた記録媒体１１を、パーソナルコンピュータや携帯電話機、携帯情報端末装置などの外部の機器に装着して、再生することができる。ここで、外部の機器に、上述した処理を行うプログラムをインストールしておくことで、互いに関連づけられた撮像データおよび録画データを上述した各実施の形態と同様に再生できる。すなわち、上述した処理を行うプログラムを外部の機器にインストールしてもよい。
【００９５】
（５）  上述の説明では、ファイル名に共通する名称を付することで撮像データと録画データとを関連づけて記憶するように構成したが、本発明はこれに限定されない。たとえば、撮像データおよび録画データのそれぞれで、データの規格で定められたメーカやユーザが任意に利用可能な領域に、相手のデータとの関連づけのための情報（たとえば相手ファイルのファイル名）を記録させることで、撮像データと録画データとを関連づけて記憶するように構成してもよい。撮像データであれば、たとえば、ＥＸＩＦ規格におけるＥＸＩＦ情報中の各ベンダー（メーカー）が任意に使用できる任意領域、ユーザーが任意に使用できる領域などを利用してもよい。録画データであれば、たとえば、ＭＰＥＧ２規格におけるシーケンス層のＵＤ（Ｕｓｅｒ  Ｄａｔｅ）などを利用してもよい。
【００９６】
（６）  上述の説明では、撮像データと録画データとを関連づけた上で、撮像データと録画データとを別個に記憶するように構成したが、１つのファイルに記憶するように構成してもよい。
【００９７】
（７）  上述した第１の実施の形態では、撮像データを再生すると、当該撮像データに関連づけられた録画データの再生を行うように構成したが、録画データの再生を行った際に、当該録画データに関連づけられた撮像データの再生を行うように構成してもよい。また、上述した第２の実施の形態では、録画データを再生すると、当該録画データに関連づけられた撮像データの再生を行うように構成したが、撮像データの再生を行った際に、当該撮像データに関連づけられた録画データの再生を行うように構成してもよい。
【００９８】
（８）  上述の説明では、レリーズボタンが半押し操作されると、スルー画８１と放送映像８２とを表示部８に２画面表示するように構成しているが、本発明はこれに限定されない。たとえば、電子カメラ１００が、スルー画表示機能のない一眼レフタイプのカメラである場合には、レリーズボタンが半押し操作されると、放送映像８２を表示部８に表示するように構成してもよい。
【００９９】
（９）  上述した第１の実施の形態では、撮像データを再生すると、当該撮像データに関連づけられた録画データを自動的に再生するように構成し、上述した第２の実施の形態では、録画データを再生すると、当該録画データに関連づけられた撮像データを自動的に再生するように構成したが、本発明はこれに限定されない。たとえば、上述した第１の実施の形態において、撮像データを再生した際に当該撮像データに関連づけられた録画データを自動的に再生するか否かをあらかじめ選択可能に構成してもよい。同様に、上述した第２の実施の形態において、録画データを再生した際に当該録画データに関連づけられた撮像データを自動的に再生するか否かをあらかじめ選択可能に構成してもよい。
【０１００】
（１０）  上述した第１の実施の形態では、撮像データに関連する録画データを、本撮影の前後１分ずつ記録するように構成したが、本発明はこれに限定されない。たとえば、本撮影前の録画データだけを記録するように構成してもよく、本撮影後の録画データだけを記録するようにしてもよい。
【０１０１】
（１１）  上述の説明では、ＴＶ受信部４で受信した放送番組の内容がバッファリングされているか、録画されているときに本撮影が行われるように構成したが、本発明はこれに限定されない。たとえば、ＴＶ受信部４で放送波を受信していない場合や、バッファリングまたは録画を行っていないときに本撮影が行われると、ＴＶ受信部４で放送波を受信して、所定時間だけ受信した番組放送の内容を録画するように構成してもよい。たとえば、野球の試合のであれば、生中継であっても、ホームランのシーンなどはホームランが打たれた直後にリプレイされて放送されることがある。そのため、本撮影後に放送番組の録画を開始したとしても、上述した作用効果と同様の作用効果を奏する。
（１２）  上述した各実施の形態および変形例は、それぞれ組み合わせてもよい。
【０１０２】
なお、本発明は、上述した実施の形態のものに何ら限定されず、受信した放送の内容を記録する放送内容記録手段と、被写体像を撮像する撮像手段と、撮像手段で撮像して得た被写体像の画像データを記録する画像データ記録手段と、放送内容記録手段で記録する放送の内容と、画像データ記録手段で記録する画像データとを関連づけて記憶するように、放送内容記録手段および画像データ記録手段を制御する記録制御手段とを備える各種構造のカメラや携帯電話機、その他の携帯情報端末などを含むものである。
【図面の簡単な説明】
【０１０３】
【図１】電子カメラ１００のブロック図である。
【図２】表示部８の画像表示面８ａの表示内容を説明する図である。
【図３】表示部８の画像表示面８ａの表示内容を説明する図である。
【図４】表示部８の画像表示面８ａの表示内容を説明する図である。
【図５】撮像時録画モードにおける被写体像の撮像の際に電子カメラ１００で行われる処理についてのフローチャートを示す図である。
【図６】撮像時録画モードにおける被写体像の撮像待機中に、モニタ再生ボタンが押圧された際に電子カメラ１００で行われる処理についてのフローチャートを示す図である。
【図７】再生モードにおける撮像データの再生の際に電子カメラ１００で行われる処理についてのフローチャートを示す図である。
【図８】表示部８の画像表示面８ａの表示内容を説明する図である。
【図９】表示部８の画像表示面８ａの表示内容を説明する図である。
【図１０】表示部８の画像表示面８ａの表示内容を説明する図である。
【図１１】第２の実施の形態の録画時撮影モードにおける放送番組の録画の際に電子カメラ１００で行われる処理についてのフローチャートを示す図である。
【図１２】第２の実施の形態の録画時撮影モードにおける被写体像の撮像の際に電子カメラ１００で行われる処理についてのフローチャートを示す図である。
【図１３】第２の実施の形態の再生モードにおける録画データの再生の際に電子カメラ１００で行われる処理についてのフローチャートを示す図である。
【図１４】第２の実施の形態の再生モードにおける録画データの再生の際に電子カメラ１００で行われる処理についてのフローチャートを示す図である。
【図１５】変形例を示す図である。
【符号の説明】
【０１０４】
１  撮像部                                  ２  画像処理部
３  一時記憶部                              ４  ＴＶ受信部
６  コントロール部                          ８  表示部
１０  記録媒体装着部                        １１  記録媒体
１００  電子カメラ
【図１】
2008259023.tif 000003
【図２】
2008259023.tif 000004
【図３】
2008259023.tif 000005
【図４】
2008259023.tif 000006
【図５】
2008259023.tif 000007
【図６】
2008259023.tif 000008
【図７】
2008259023.tif 000009
【図８】
2008259023.tif 000010
【図９】
2008259023.tif 000011
【図１０】
2008259023.tif 000012
【図１１】
2008259023.tif 000013
【図１２】
2008259023.tif 000014
【図１３】
2008259023.tif 000015
【図１４】
2008259023.tif 000016
【図１５】
2008259023.tif 000017